(57)【特許請求の範囲】
【請求項１】
被検体に関する生体内情報を含むデータセットを記憶する記憶手段と、
前記データセットの一部または全部をコピーしたコピーデータを出力する出力処理手段と、
前記出力処理手段によって出力されたコピーデータを用いて形成された新データセットの一部または全部を入力する入力処理手段と、
前記コピーデータが出力された場合、前記記憶手段に記憶している前記データセットの変更を禁止するデータロック処理を行い、前記新データセットの一部または全部が入力された場合、入力された前記新データセットの一部または全部のコピー元が前記記憶手段に記憶されているか否かを確認し、前記データセットが前記コピー元のデータである場合に前記データロック処理を解除するロック処理手段と、
を備えたことを特徴とする画像表示装置。
【請求項２】
前記入力処理手段は、前記ロック処理手段によってデータロック処理が解除された前記データセットの一部または全部に前記新データセットの一部または全部を上書し、前記新データセットの一部または全部を削除することを特徴とする請求項１に記載の画像表示装置。
【請求項３】
被検体に関する生体内情報を含むデータセットを記憶する記憶手段と、
前記データセットの一部または全部をコピーしたコピーデータを出力する出力処理手段と、
前記出力処理手段によって出力された前記コピーデータを用いて形成された新データセットに含まれる診断情報を入力する入力処理手段と、
前記コピーデータが出力された場合、前記記憶手段に記憶している前記データセットの変更を禁止するデータロック処理を行い、前記診断情報が入力された場合、入力された前記診断情報が前記データセットの画像データに関する診断情報であるか否かを確認し、前記画像データに関する診断情報である場合、前記データロック処理を解除するロック処理手段と、
を備えたことを特徴とする画像表示装置。
【請求項４】
前記データセットは、前記生体内情報である生体内画像データを含むものであり、
前記ロック処理手段は、前記生体内画像データに診断情報を作成し付加して行われる前記データセットの変更を禁止することを特徴とする請求項１または３に記載の画像表示装置。
【請求項５】
前記データセットは、前記生体内情報である生体内画像データと、該生体内画像データに関する診断情報とを含むものであり、
前記ロック処理手段は、少なくとも前記診断情報を更新してなる前記データセットの変更を禁止することを特徴とする請求項１または４に記載の画像表示装置。
【発明の詳細な説明】
【技術分野】
【０００１】
この発明は、時系列に沿って撮像した被検体内の一連の画像を表示する画像表示装置に関するものである。
【背景技術】
【０００２】
近年、内視鏡分野においては、撮像機能と無線通信機能とを設けた飲込み型のカプセル型内視鏡が提案され、このカプセル型内視鏡を用いて被検体内の画像を取得する被検体内情報取得システムが開発されている。カプセル型内視鏡は、観察（検査）のために被検体の口から飲込まれた後、自然排出されるまでの間、体腔内、例えば胃、小腸等の臓器の内部をその蠕動運動に従って移動するとともに、例えば０．５秒間隔で被検体内の画像を撮像するように機能する。
【０００３】
カプセル型内視鏡が被検体内を移動する間、このカプセル型内視鏡によって撮像された画像は、順次無線通信によって外部の受信装置に送信される。受信装置は、無線通信機能とメモリ機能とを有し、被検体内のカプセル型内視鏡から受信した画像をメモリに順次保存する。被検体は、かかる受信装置を携帯することによって、カプセル型内視鏡を飲込んでから自然排出するまでの間に亘り、自由に行動できる。カプセル型内視鏡が被検体から自然排出された後、医師または看護師においては、受信装置のメモリに蓄積された画像を画像表示装置に取り込ませ、被検体内の臓器の画像を画像表示装置に表示させて被検体の診断を行うことができる（例えば、特許文献１参照。）。
【０００４】
【特許文献１】特開２００３−１９１１１号公報
【発明の開示】
【発明が解決しようとする課題】
【０００５】
ところで、被検体内に導入されたカプセル型内視鏡は、一般に、約８時間以上という長時間に亘って被検体内を移動するとともに、例えば０．５秒間隔で被検体内の画像を撮像する。この場合、上述した画像表示装置によって表示される被検体内の一連の画像の枚数は膨大であり、かかる被検体内の一連の画像を全て観察するために多大な時間を要す。このため、医師または看護師等は、かかる画像表示装置によって作成した被検体の画像ファイルまたはレポートファイル等のコピーデータを携帯型記録媒体に保存し、この携帯型記録媒体を媒介にしてこの画像表示装置から持ち出したコピーデータを病院内の他のコンピュータまたは保有のコンピュータ等に取り込ませ、被検体の観察および診断を効率的に続行する。このようにコピーデータが持ち出されている間、画像表示装置には、このコピーデータの元であるオリジナルデータが保存されている。
【０００６】
その後、医師または看護師等は、かかる病院内の他のコンピュータまたは保有のコンピュータ等を用い、画像表示装置から持ち出したコピーデータを編集して被検体のレポート等を作成し、このコピーデータを更新する。このように更新されたコピーデータは、携帯型記録媒体を媒介にして元の画像表示装置に戻される。
【０００７】
しかしながら、上述した従来の画像表示装置では、保有するオリジナルデータをコピーしたコピーデータが外部に持ち出されているか否かを判断することは困難であるため、このようなコピーデータが外部に持ち出されている間、このオリジナルデータが編集され、更新される虞がある。このため、かかるコピーデータおよびオリジナルデータのいずれを主要なデータとして取り扱うかを判断することが困難な場合が多く、被検体の検査および診断等に関する各種データの管理に混乱を招くという問題点があった。
【０００８】
この発明は、上記事情に鑑みてなされたものであって、コピーデータを外部に出力している間、このコピーデータの元であるオリジナルデータの編集処理および更新処理を禁止でき、被検体の検査および診断等に関する主要なデータの管理を容易に行える画像表示装置を提供することを目的とする。
【課題を解決するための手段】
【０００９】
上述した課題を解決し、目的を達成するために、請求項１にかかる画像表示装置は、被検体に関する生体内情報を含むデータセットを記憶する記憶手段と、前記データセットの一部または全部をコピーしたコピーデータを出力する出力処理手段と、前記コピーデータが出力された場合、前記記憶手段に記憶している前記データセットの変更を禁止するデータロック処理を行うロック処理手段と、を備えたことを特徴とする。
【００１０】
また、請求項２にかかる画像表示装置は、上記の発明において、前記データセットは、前記生体内情報である生体内画像データを含むものであり、前記ロック処理手段は、前記生体内画像データに診断情報を作成し付加して行われる前記データセットの変更を禁止することを特徴とする。
【００１１】
また、請求項３にかかる画像表示装置は、上記の発明において、前記データセットは、前記生体内情報である生体内画像データと、該生体内画像データに関する診断情報とを含むものであり、前記ロック処理手段は、少なくとも前記診断情報を更新してなる前記データセットの変更を禁止することを特徴とする。
【００１２】
また、請求項４にかかる画像表示装置は、上記の発明において、前記出力処理手段によって出力されたコピーデータを用いて形成された新データセットの一部または全部を入力する入力処理手段をさらに備え、前記ロック処理手段は、前記新データセットの一部または全部のコピー元が前記記憶手段に記憶しているデータセットである旨を確認した場合、前記データロック処理を解除することを特徴とする。
【００１３】
また、請求項５にかかる画像表示装置は、上記の発明において、前記入力処理手段は、前記ロック処理手段によってデータロック処理が解除された前記データセットの一部または全部に前記新データセットの一部または全部を上書し、前記新データセットの一部または全部を削除することを特徴とする。
【００１４】
また、請求項６にかかる画像表示装置は、上記の発明において、前記出力処理手段によって出力された前記コピーデータを用いて形成された新データセットに含まれる診断情報を入力する入力処理手段を備え、前記ロック処理手段は、前記診断情報が前記記憶手段に記憶された前記データセットの画像データに関する診断情報である旨を確認した場合に前記データロック処理を解除することを特徴とする。
【発明の効果】
【００１５】
この発明によれば、保有のオリジナルデータをコピーしたコピーデータを外部に出力している間、このオリジナルデータの編集処理および更新処理を禁止できるとともに、この出力したコピーデータを主要なデータとして取り扱うことができ、被検体の検査および診断等に関する主要なデータを容易に管理できる画像表示装置を実現できるという効果を奏する。
【発明を実施するための最良の形態】
【００１６】
以下、図面を参照して、この発明にかかる画像表示装置の好適な実施の形態を詳細に説明する。なお、この実施の形態によってこの発明が限定されるものではない。
【００１７】
図１は、この発明の実施の形態である画像表示装置を有する被検体内情報取得システムの一構成例を模式的に例示する模式図である。図１に示すように、この被検体内情報取得システムは、被検体１内の通過経路に沿って移動するとともに被検体１内の画像を撮像するカプセル型内視鏡２と、カプセル型内視鏡２によって送信された無線信号を受信し、受信した無線信号に含まれる画像を蓄積する受信装置３と、受信装置３に蓄積された画像、すなわちカプセル型内視鏡２によって撮像された画像を表示する画像表示装置４と、受信装置３と画像表示装置４との間の情報の受け渡しを行うための携帯型記録媒体５とを備える。
【００１８】
カプセル型内視鏡２は、被検体１の内部に導入され、この被検体１内の画像を時系列に沿って順次撮像する撮像機能と、撮像した画像を含む無線信号を外部に送信する無線通信機能とを有する。カプセル型内視鏡２は、被検体１に飲込まれることによって被検体１内の食道を通過し、消化管腔の蠕動によって体腔内を進行する。これと同時に、カプセル型内視鏡２は、所定間隔たとえば０．５秒間隔で被検体１内の画像を逐次撮像し、所定の電波を介して、かかる被検体１内の画像を受信装置３に逐次送信する。
【００１９】
受信装置３は、例えば被検体１の体表上に分散配置された複数の受信アンテナ３ａ〜３ｈが接続され、かかる複数の受信アンテナ３ａ〜３ｈのいずれかを介してカプセル型内視鏡２からの無線信号を受信し、受信した無線信号をもとに被検体１内の画像を取得する。また、受信装置３は、携帯型記録媒体５が着脱可能に挿着され、カプセル型内視鏡２からの無線信号をもとに逐次取得した画像、すなわちカプセル型内視鏡２によって撮像された画像を携帯型記録媒体５に逐次格納する。このようにして、受信装置３は、カプセル型内視鏡２が時系列に沿って撮像した被検体１内の画像群を携帯型記録媒体５に蓄積する。
【００２０】
受信アンテナ３ａ〜３ｈは、例えばループアンテナを用いて実現され、カプセル型内視鏡２によって送信された無線信号を受信する。受信アンテナ３ａ〜３ｈは、図１に示すように、被検体１の体表上の所定位置、例えば被検体１内におけるカプセル型内視鏡２の通過経路に対応する位置に分散配置される。なお、受信アンテナ３ａ〜３ｈは、被検体１に着用させるジャケットの所定位置に分散配置されてもよい。この場合、受信アンテナ３ａ〜３ｈは、被検体１がこのジャケットを着用することによって、被検体１内におけるカプセル型内視鏡２の通過経路に対応する被検体１の体表上の所定位置に配置される。このような受信アンテナは、被検体１に対して１以上配置されればよく、その配置数は、特に８つに限定されない。
【００２１】
携帯型記録媒体５は、コンパクトフラッシュ（登録商標）等の携帯可能な記録メディアである。携帯型記録媒体５は、受信装置３および画像表示装置４に対して着脱可能であって、両者に対する挿着時に情報の出力および記録が可能な構造を有する。具体的には、携帯型記録媒体５は、受信装置３に挿着された場合、受信装置３によって取得されたカプセル型内視鏡２による画像およびその撮像時間等の各種情報を逐次格納する。一方、携帯型記録媒体５は、画像表示装置４に挿着された場合、上述したカプセル型内視鏡２による画像等の保存情報を画像表示装置４に出力する。このようにして、携帯型記録媒体５の保存情報は、画像表示装置４に取り込まれる。また、携帯型記録媒体５は、カプセル型内視鏡検査の被検体１に関する情報等が画像表示装置４によって書き込まれる。なお、このカプセル型内視鏡検査とは、被検体１の内部にカプセル型内視鏡２を導入し、かかるカプセル型内視鏡２によって撮像された画像を観察するものである。
【００２２】
画像表示装置４は、カプセル型内視鏡２によって撮像された画像等を表示するためのものである。具体的には、画像表示装置４は、受信装置３によって携帯型記録媒体５に蓄積された各種情報を取り込むことによって、カプセル型内視鏡２によって撮像された画像等の各種情報を取得し、得られた情報をもとに被検体１内の画像を表示するワークステーション等のような構成を有する。このような画像表示装置４は、かかる被検体１内の画像群に含まれる各画像を順次表示する画像表示機能を有し、さらに、医師または看護師等のユーザが被検体１内の画像を観察（検査）して被検体１を診断するための処理機能を有する。この場合、ユーザは、画像表示装置４に被検体１内の画像を順次表示させて被検体１内の部位、例えば食道、胃、小腸、および大腸等を観察（検査）し、これをもとに、被検体１を診断できる。
【００２３】
つぎに、画像表示装置４の構成について説明する。図２は、この発明の実施の形態である画像表示装置４の一構成例を模式的に示すブロック図である。図２に示すように、画像表示装置４は、被検体１内の画像を観察するための各種情報を入力する入力部１１と、被検体１内の画像等の被検体１の検査および診断を行うための各種情報を画面表示する表示部１２と、被検体１内の画像等の携帯型記録媒体５に蓄積された保存情報を取り込むためのカードインターフェース（Ｉ／Ｆ）１３とを有する。また、画像表示装置４は、例えば外部のコンピュータとの間で被検体１の画像等の各種情報を入出力するための情報入出力Ｉ／Ｆ１４と、被検体１の画像等の各種情報を保存する記憶部１５と、画像表示装置４の各構成部の駆動を制御する制御部１６とを有する。
【００２４】
入力部１１は、キーボードおよびマウス等を用いて実現され、ユーザによる入力操作によって、制御部１６に指示する指示情報および被検体１に関する患者情報を制御部１６に入力する。なお、この患者情報は、被検体１に対するカプセル型内視鏡検査を行うための受信装置として受信装置３を初期設定するために、例えば携帯型記録媒体５を媒介して受信装置３に登録されるものである。かかる患者情報として、例えば被検体１の患者名、性別、生年月日、および患者ＩＤ等が例示される。
【００２５】
表示部１２は、ＣＲＴディスプレイまたは液晶ディスプレイ等の各種ディスプレイを用いて実現され、制御部１６によって表示指示された各種情報を表示する。この場合、表示部１２は、カプセル型内視鏡２によって撮像された被検体１の画像等の被検体１を観察し、診断するための各種情報を表示する。かかる表示部１２による表示画面の具体例については、後述する。
【００２６】
カードＩ／Ｆ１３は、上述した携帯型記録媒体５の保存情報を取り込むためのものである。具体的には、カードＩ／Ｆ１３は、携帯型記録媒体５が着脱可能に挿着され、かかる携帯型記録媒体５に蓄積された保存情報を読み出すとともに、得られた保存情報を制御部１６に転送する。また、カードＩ／Ｆ１３は、挿着された携帯型記録媒体５に対し、制御部１６によって書き込み指示された情報、例えば上述した患者情報等を書き込む。
【００２７】
情報入出力Ｉ／Ｆ１４は、例えば外部のコンピュータまたは周辺機器と画像表示装置４との間での各種情報の入出力を行うためのものである。具体的には、情報入出力Ｉ／Ｆ１４は、フレキシブルディスク（ＦＤ）、コンパクトディスク（ＣＤ）、またはＤＶＤ（Digital Versatile Disk）等の携帯型記録媒体を着脱可能に挿着でき、挿着された携帯型記録媒体に対して各種情報の読取処理または書込処理を行うドライブ等を用いて実現される。また、情報入出力Ｉ／Ｆ１４は、所定のケーブルを介してプリンタ等の周辺機器に接続可能な構造を有する。このような情報入出力Ｉ／Ｆ１４は、制御部１５によって書き込み指示された情報をドライブ内の携帯型記録媒体に書き込み、または、制御部１５によって出力指示された情報をプリンタ等の周辺機器に出力する。また、情報入出力Ｉ／Ｆ１４は、制御部１５によって読み取り指示された情報をドライブ内の携帯型記録媒体から読み取り、得られた情報を制御部１６に転送する。
【００２８】
記憶部１５は、ＲＡＭ、ＥＥＰＲＯＭ、またはハードディスク等の情報の蓄積および読み出しが可能な情報記録手段を用いて実現され、制御部１６によって書き込み指示された情報を保存し、制御部１６によって読み取り指示された保存情報を制御部１６に送信する。かかる記憶部１５は、被検体の画像群、患者情報、および検査情報（例えば検査日および検査ＩＤ）等を含む被検体の検査ファイルを保持管理するための検査フォルダ１５ａと、画像表示装置４の処理機能によって生成した被検体のカルテ（レポート）、静止画像、および動画像等の各種ファイルを保持管理するための管理フォルダ１５ｂと、外部との間で入出力する各種ファイルを保持管理するための入出力フォルダ１５ｃとを有する。
【００２９】
制御部１６は、上述したように、画像表示装置４の各構成部、例えば入力部１１、表示部１２、カードＩ／Ｆ１３、情報入出力Ｉ／Ｆ１４、および記憶部１５の各駆動を制御し、かかる各構成部との間の情報の入出力を制御する。このような制御部１６は、携帯型記録媒体５を媒介にして取得した被検体１の画像群と、この画像群に含まれる各画像の撮像時刻に関する時間情報と、被検体１の患者情報と、被検体１に対する検査情報とを対応付けてファイル化した検査ファイルを生成し、得られた検査ファイルを検査フォルダ１５ａに保存する。この場合、制御部１６は、かかる検査フォルダ１５ａに保存した各検査ファイルを例えば被検体毎または検査ＩＤ毎に保持管理する。
【００３０】
また、制御部１６は、表示部１２による各種情報の表示動作を制御する表示制御部１６ａと、検査ファイルに含まれる画像群をもとに所望の静止画像または動画像の画像ファイルを生成する画像ファイル生成部１６ｂと、被検体に関する診断結果等を記載したレポートを作成するレポート作成部１６ｃ、レポート作成部１６ｃによって作成されるレポートに掲載する各画像を所望のグループに分割するグループ処理部１６ｄとを有する。さらに、制御部１６は、検査ファイルに含まれる画像群の中から画像ファイルまたはレポートの作成に必要な画像を抽出する画像抽出部１６ｅと、外部に対して出力される画像ファイルおよびレポートファイル等のデータの出力処理を行う出力処理部１６ｆと、外部にコピーファイルが出力されているオリジナルのデータセットの変更を禁止するロック処理部１６ｇと、外部から入力される画像ファイルおよびレポートファイル等のデータの入力処理を行う出力処理部１６ｆとを有する。
【００３１】
つぎに、表示部１２の表示画面を具体的に例示し、表示部１２の表示動作を制御する表示制御部１６ａの動作について説明する。図３は、表示部１２の表示画面の一具体例を模式的に示す模式図である。表示制御部１６ａは、制御部１６によって所定のログイン処理が行われた場合、図３に示すようなウィンドウＷ１を表示部１２に表示させる。
【００３２】
図３に示すように、ウィンドウＷ１には、カプセル型内視鏡２によって撮像された画像を表示する主画像表示領域５０と、記憶部１５の検査フォルダ１５ａに保存された検査ファイルを一覧表示するファイル表示領域６０と、この検査ファイルに含まれる画像群の各画像を主画像表示領域５０に表示する画像表示操作を行うための表示操作アイコン群７０と、主画像表示領域５０に順次表示された画像の中から選択した画像に対応するサムネイル画像を表示する副画像表示領域８０と、副画像表示領域８０に表示されたサムネイル画像のスクロール操作を行うためのスクロールバー８１とが形成される。
【００３３】
また、ウィンドウＷ１には、ファイル表示領域６０の中から選択された検査ファイルに含まれる各画像の撮像開始からの経過時間を示す時間スケールＴＳと、時間スケールＴＳによって示される経過時間のうちの主画像表示領域５０に表示した画像の経過時間を指し示すスライダＳとが形成される。さらに、ウィンドウＷ１には、画像ファイル生成部１６ｂによって生成された画像ファイルを出力するための画像出力アイコン９１と、被検体のレポートを作成するためのレポートアイコン９２と、主画像表示領域５０に同時に表示する画像の枚数を設定するための表示枚数設定アイコン９３〜９５と、かかるウィンドウＷ１を閉じるためのＥｘｉｔアイコン９６とが形成される。
【００３４】
その他、ウィンドウＷ１には、入力部１１の入力操作によって検査ファイルの指定、画像の選択、および各種アイコンの操作等を行うためのカーソルＫと、現在日時を示す情報とが表示される。
【００３５】
表示制御部１６ａは、例えばファイル表示領域６０に一覧表示した検査ファイルＦ１〜Ｆ４の中から入力部１１の入力操作によって指定された検査ファイルに含まれる画像群を主画像表示領域５０に表示させる。具体的には、ユーザは、入力部１１を用い、検査ファイルＦ１〜Ｆ４の中から所望の検査ファイルにカーソルＫを合わせて指定する入力操作を行う。表示制御部１６ａは、このように指定された検査ファイルに含まれる画像群の画像Ｐ１を主画像表示領域５０に順次表示させる。この場合、表示制御部１６ａは、表示操作アイコン群７０の中から入力部１１の入力操作によって指定された表示操作アイコンに対応して、例えば時系列の順方向または逆方向に沿って画像Ｐ１を順次表示する。また、表示制御部１６ａは、このように順次表示する画像Ｐ１に合わせて、主画像表示領域５０に画像Ｐ１の患者情報（患者名、性別、生年月日、および患者ＩＤ）と撮像年月日および撮像時刻とを順次表示する。
【００３６】
なお、表示制御部１６ａは、表示枚数設定アイコン９３〜９５の中から表示枚数設定アイコン９３にカーソルＫを合わせて指定する入力部１１の入力操作が行われた場合、主画像表示領域５０に画像Ｐ１を１枚ずつ表示させ、表示枚数設定アイコン９４にカーソルＫを合わせて指定する入力部１１の入力操作が行われた場合、主画像表示領域５０に画像Ｐ１を２枚同時に表示させ、表示枚数設定アイコン９５にカーソルＫを合わせて指定する入力部１１の入力操作が行われた場合、主画像表示領域５０に画像Ｐ１を４枚同時に表示させる。
【００３７】
また、表示制御部１６ａは、主画像表示領域５０に順次表示する画像の切り替えに同期してスライダＳを時間スケールＴＳに沿って時系列の順方向または逆方向に移動させる。この場合、スライダＳは、主画像表示領域５０に表示中の画像の例えば撮像開始からの経過時間が付された時間スケールＴＳ上の位置を指し示すように移動する。
【００３８】
さらに、表示制御部１６ａは、主画像表示領域５０に順次表示された画像の中から所望の画像にカーソルＫを合わせて選択指定する入力部１１の入力操作が行われた場合、かかる選択指定された画像に対応するサムネイル画像を副画像表示領域８０に表示させる。具体的には、入力部１１は、主画像表示領域５０に表示された画像の中から所望の画像を選択指定する画像指定情報を制御部１６に入力する。表示制御部１６ａは、このような所望の画像を選択指定する画像指定情報が入力部１１によって入力された場合、その都度、かかる画像指定情報によって選択指定された画像に対応するサムネイル画像を副画像表示領域に順次追加する。この場合、表示制御部１６ａは、例えば図３に示すように、副画像表示領域８０にサムネイル画像ＳＰ１〜ＳＰ５を表示する。表示制御部１６ａは、副画像表示領域８０に表示したサムネイル画像の中から例えばサムネイル画像ＳＰ１を選択指定する入力操作が行われた場合、この選択指定されたサムネイル画像ＳＰ１に対応する画像を主画像表示領域５０に表示させる。
【００３９】
なお、表示制御部１６ａは、副画像表示領域８０に表示したサムネイル画像を掲載したレポートが作成された場合、このサムネイル画像の近傍にレポート作成が行われた旨を示すレポートマーカを表示させる。この場合、表示制御部１６ａは、例えばサムネイル画像ＳＰ１〜ＳＰ５についてレポートがそれぞれ作成された場合、図３に例示するようにレポートマーカＲＭ１〜ＲＭ５をサムネイル画像ＳＰ１〜ＳＰ５の各近傍にそれぞれ表示させる。表示制御部１６ａは、サムネイル画像の近傍に表示したレポートマーカの中から所望のレポートマーカにカーソルＫを合わせて選択指定する入力操作が行われた場合、この選択されたレポートマーカに対応するレポートを表示させ、このレポートを閲覧できるようにする。
【００４０】
つぎに、検査ファイルに含まれる画像群をもとに静止画像または動画像の画像ファイルを生成する画像ファイル生成部１６ｂの動作について説明する。画像ファイル生成部１６ｂは、被検体の静止画像または動画像を生成する画像生成手段として機能し、検査フォルダ１５ａに保存した検査ファイルの中から選択された所望の検査ファイルに含まれる画像群をもとに画像ファイルを生成する。この場合、画像ファイル生成部１６ｂは、入力部１１から制御部１６に入力される指定情報によって指定された出力モードの画像ファイルを生成する。
【００４１】
図４は、画像ファイルの出力モードを設定するためのウィンドウが表示された状態を例示する模式図である。ユーザは、入力部１１の入力操作を行って、図４に例示するウィンドウＷ２を表示させる。ウィンドウＷ２は、画像ファイル生成部１６ｂによって生成される画像ファイルの出力モードを設定するためのメニューを表示する。画像ファイル生成部１６ｂは、かかるウィンドウＷ２に示されるメニューの中から「静止画像」を選択指定する指定情報が入力部１１によって入力された場合、所望の検査ファイルに含まれる画像群をもとに静止画像ファイルを生成する。
【００４２】
具体的には、ユーザが、入力部１１を用い、副画像表示領域８０内のサムネイル画像の中から所望のサムネイル画像にカーソルＫを合わせて指定する入力操作を行う。この場合、入力部１１は、この所望のサムネイル画像に対応する被検体の画像を指定する画像指定情報を制御部１６に入力する。画像抽出部１６ｅは、この所望の検査ファイルに含まれる画像群の中からこの画像指定情報によって指定される画像を抽出する。画像ファイル生成部１６ｂは、このように画像抽出部１６ｅによって抽出された画像をもとに静止画像ファイルを生成し、生成した静止画像ファイルを記憶部１５の管理フォルダ１５ｂに保存する。
【００４３】
このように生成した静止画像ファイルは、かかる入力部１１から入力された画像指定情報によって指定された画像（サムネイル画像）と同じ表示内容の静止画像を含むものであり、例えばＧＩＦ、ＪＰＥＧ、またはＴＩＦ等の汎用の静止画像データ形式によって出力可能な出力モードのものである。
【００４４】
一方、画像ファイル生成部１６ｂは、図４に例示するウィンドウＷ２に示されるメニューの中から「動画像」を選択指定する指定情報が入力部１１から入力された場合、所望の検査ファイルに含まれる画像群をもとに、ノーマル動画像ファイル、結合動画像ファイル、切り抜き動画像ファイルのいずれかの動画像ファイルを生成する。なお、ノーマル動画像ファイルは、入力部１１から入力された画像指定情報によって指定される画像とその前後に連続する所定フレーム数の画像とを時系列に沿って配列したノーマル動画像を含むものである。結合動画像ファイルは、複数のノーマル動画像を時系列に沿って結合した結合動画像（Combined Movie）を含むものである。切り抜き動画像ファイルは、入力部１１から入力された画像指定情報によって指定される２つの画像とその間に挟まれる１以上の画像とを時系列に沿って配列した切り抜き動画像（Clipped Movie）を含むものである。かかるノーマル動画像ファイル、結合動画像ファイル、および切り抜き動画像ファイルは、いずれもＷＭＶまたはＭＰＥＧ等の汎用の動画像データ形式によって出力可能な出力モードのものである。
【００４５】
具体的には、ウィンドウＷ２のメニューの中から「動画像」を選択指定する指定情報が入力部１１から入力された場合、図４に示すように、画像ファイル生成部１６ｂによって生成される動画像ファイルの出力モードをさらに詳細に設定するためのウィンドウＷ３が表示される。ユーザは、入力部１１を用い、ウィンドウＷ３のメニューの中から「ノーマル動画像」、「結合動画像」、および「切り抜き動画像」のいずれかにカーソルＫを合わせて所望のものを選択指定する入力操作を行い、その後、副画像表示領域８０内のサムネイル画像の中から所望のサムネイル画像を１以上選択指定する入力操作を行う。この場合、入力部１１は、「ノーマル動画像」、「結合動画像」、および「切り抜き動画像」のいずれかを選択指定する指定情報を制御部１６に入力する。画像ファイル生成部１６ｂは、入力部１１から入力された画像指定情報によって選択指定される１以上の所望のサムネイル画像（すなわち副画像領域８０の中から選択指定されたサムネイル画像）に対応する１以上の画像をもとに、入力部１１からの指定情報によって指定されたウィンドウＷ３の中の項目に整合するノーマル動画像、結合動画像、および切り抜き動画像のいずれかを含む動画像ファイルを生成する。
【００４６】
つぎに、上述したノーマル動画像を含む動画像ファイル、すなわちノーマル動画像ファイルを生成する画像ファイル生成部１６ｂの動作について、さらに詳細に説明する。図５は、ノーマル動画像ファイルを生成する動作を説明するための模式図である。上述したウィンドウＷ３に示されるメニューの中から「ノーマル動画像」を選択指定する指定情報が入力部１１によって入力され、且つ、副画像表示領域８０内の中から所望のサムネイル画像を選択指定する画像指定情報が入力部１１によって入力された場合、まず、画像抽出部１６ｅは、図５に示すように、ユーザによって予め選択された所望の検査ファイルに含まれる画像群ＰＧの中からノーマル動画像の生成処理に必要な画像を抽出する。この場合、画像抽出部１６ｅは、入力部１１からの画像指定情報によって指定される所望のサムネイル画像に対応する画像Ｄ１と、この画像Ｄ１に対して時系列的に前に連続する所定フレーム数、例えば５フレームの画像Ａ１〜Ａ５と、この画像Ｄ１に対して時系列的に後に連続する所定フレーム数、例えば５フレームの画像Ｂ１〜Ｂ５とを抽出する。
【００４７】
なお、かかる画像指定情報によって指定された画像Ｄ１は、１つのノーマル動画像を生成するために画像群ＰＧから抽出された部分画像群（例えば画像Ａ１〜Ａ５と画像Ｄ１と画像Ｂ１〜Ｂ５とを含む画像群）の中央に配列される中央画像である。
【００４８】
画像ファイル生成部１６ｂは、かかる画像抽出部１６ｅによって抽出された画像Ａ１〜Ａ５，Ｄ１，Ｂ１〜Ｂ５をもとにノーマル動画像ファイルを生成する。具体的には、画像ファイル生成部１６ｂは、このような画像Ａ１〜Ａ５，Ｄ１，Ｂ１〜Ｂ５を時系列に沿って配列するとともに画像に圧縮処理を行い、先頭の画像Ａ１から最後尾の画像Ｂ５までの各画像の連続再生によって動画像を表示できるノーマル動画像Ｍ１を生成する。かかるノーマル動画像Ｍ１は、所望の検査ファイルに含まれる画像群ＰＧの中から部分的に抽出された部分画像群をもとに生成される部分動画像である。画像ファイル生成部１６ｂは、かかるノーマル動画像Ｍ１を汎用の動画像データ形式に変換し、ファイル化したノーマル動画像ファイルを生成する。その後、制御部１６は、得られたノーマル動画像ファイルを記憶部１５の管理フォルダ１５ｂに保存する。
【００４９】
つぎに、上述した結合動画像を含む動画像ファイル、すなわち結合動画像ファイルを生成する画像ファイル生成部１６ｂの動作について、さらに詳細に説明する。図６は、結合動画像ファイルを生成する動作を説明するための模式図である。上述したウィンドウＷ３に示されるメニューの中から「結合動画像」を選択指定する指定情報が入力部１１によって入力され、且つ、副画像表示領域８０内の中から所望のサムネイル画像を２つ選択指定する画像指定情報が入力部１１によって入力された場合、まず、画像抽出部１６ｅは、図６に示すように、ユーザによって予め選択された所望の検査ファイルに含まれる画像群ＰＧの中から結合動画像の生成処理に必要な画像を抽出する。この場合、画像抽出部１６ｅは、入力部１１からの画像指定情報によって指定される所望のサムネイル画像に対応する画像Ｄ１，Ｄ２と、画像Ｄ１，Ｄ２のそれぞれに対して時系列的に前に連続する所定フレーム数、例えば５フレームの画像Ａ１〜Ａ５，Ｃ１〜Ｃ５と、画像Ｄ１，Ｄ２のそれぞれに対して時系列的に後に連続する所定フレーム数、例えば５フレームの画像Ｂ１〜Ｂ５，Ｅ１〜Ｅ５とを抽出する。
【００５０】
なお、かかる画像指定情報によって指定された２つの画像Ｄ１，Ｄ２は、画像群ＰＧから抽出される２つの部分画像群（例えば画像Ａ１〜Ａ５と画像Ｄ１と画像Ｂ１〜Ｂ５とを含む画像群および画像Ｃ１〜Ｃ５と画像Ｄ２と画像Ｅ１〜Ｅ５とを含む画像群）の各中央に配列される中央画像である。
【００５１】
画像ファイル生成部１６ｂは、上述したように、画像抽出部１６ｅによって抽出された画像Ａ１〜Ａ５，Ｄ１，Ｂ１〜Ｂ５を時系列に沿って配列するとともに画像に圧縮処理を行い、ノーマル動画像Ｍ１を生成する。また、画像ファイル生成部１６ｂは、ノーマル動画像Ｍ１とほぼ同様に、画像抽出部１６ｅによって抽出された画像Ｃ１〜Ｃ５，Ｄ２，Ｅ１〜Ｅ５を時系列に沿って配列するとともに画像に圧縮処理を行い、先頭の画像Ｃ１から最後尾の画像Ｅ５までの各画像の連続再生によって動画像を表示できるノーマル動画像Ｍ２を生成する。画像ファイル生成部１６ｂは、このように生成したノーマル動画像Ｍ１の最後尾の画像Ｂ５とノーマル動画像Ｍ２の先頭の画像Ｃ１とを圧縮処理して結合し、かかるノーマル動画像Ｍ１，Ｍ２を時系列に沿って結合した結合動画像ＭＡを生成する。画像ファイル生成部１６ｂは、かかる結合動画像ＭＡを汎用の動画像データ形式に変換し、ファイル化した結合動画像ファイルを生成する。その後、制御部１６は、得られた結合動画像ファイルを記憶部１５の管理フォルダ１５ｂに保存する。
【００５２】
なお、画像ファイル生成部１６ｂは、画像抽出部１６ｅによって抽出された画像Ａ１〜Ａ５，Ｄ１，Ｂ１〜Ｂ５を時系列に沿って配列し、この画像Ｂ５の直後に画像Ｃ１を配列し、画像Ｃ１〜Ｃ５，Ｄ２，Ｅ１〜Ｅ５を時系列に沿って配列し、このように時系列に沿って配列した画像に圧縮処理を行うことによって、上述した結合動画像ＭＡを生成してもよい。
【００５３】
ここで、画像ファイル生成部１６ｂは、結合動画像を生成するために画像抽出部１６ｅによって抽出された２以上の画像群の間で同一画像が重複する場合、このような重複する同一画像のいずれかを削除して結合動画像を生成する。例えば、画像ファイル生成部１６ｅは、図６に例示した画像Ｂ１〜Ｂ５，Ｃ１〜Ｃ５のうちの画像Ｂ４，Ｂ５と画像Ｃ１，Ｃ２とがそれぞれ重複する同一画像である場合、かかる重複した画像Ｂ４，Ｃ１のいずれか一つと画像Ｂ５，Ｃ２のいずれか一つとを削除して結合動画像ＭＡを生成する。
【００５４】
また、画像ファイル生成部１６ｂは、副画像表示領域８０内の中から所望のサムネイル画像を３以上選択指定する画像指定情報が入力部１１によって入力された場合、画像抽出部１６ｅによって抽出された３以上の画像群、すなわち、入力部１１からの画像指定情報によって指定された３以上のサムネイル画像にそれぞれ対応する３以上の画像（中央画像）と、これら３以上の中央画像のそれぞれに対して時系列的に前に連続する所定フレーム数の画像（前画像）と、これら３以上の中央画像のそれぞれに対して時系列的に後に連続する所定フレーム数の画像（後画像）とを用いて結合動画像を生成する。この場合、生成された結合動画像は、かかる中央画像と所定フレーム数の前画像と所定フレーム数の後画像とを含む画像群を３グループ以上含んでいる。
【００５５】
なお、かかる中央画像とともに抽出される前画像および後画像の各抽出数、すなわち上述した所定フレーム数は、図４に例示したウィンドウＷ２のメニューの中から「フレーム数設定」を選択指定する指定情報が入力部１１によって入力された場合、所望のフレーム数に設定できる。具体的には、かかるウィンドウＷ２の「フレーム数設定」を選択指定する指定情報が入力部１１によって入力された場合、フレーム設定画面（図示せず）が表示され、入力部１１の入力操作によって所望のフレーム数が入力または選択された場合、制御部１６は、上述した中央画像とともに抽出される前画像および後画像の各フレーム数をこのフレーム設定画面において入力または選択されたフレーム数に設定する。このように設定されたフレーム数は、上述したノーマル動画像を生成する場合にも適用される。
【００５６】
つぎに、上述した切り抜き動画像を含む動画像ファイル、すなわち切り抜き動画像ファイルを生成する画像ファイル生成部１６ｂの動作について、さらに詳細に説明する。図７は、切り抜き動画像ファイルを生成する動作を説明するための模式図である。上述したウィンドウＷ３に示されるメニューの中から「切り抜き動画像」を選択指定する指定情報が入力部１１によって入力され、且つ、副画像表示領域８０内の中から所望のサムネイル画像を２つ選択指定する画像指定情報が入力部１１によって入力された場合、まず、画像抽出部１６ｅは、図７に示すように、ユーザによって予め選択された所望の検査ファイルに含まれる画像群ＰＧの中から切り抜き動画像の生成処理に必要な画像を抽出する。この場合、画像抽出部１６ｅは、入力部１１からの画像指定情報によって指定される所望のサムネイル画像に対応する２つの画像Ｄ１，Ｄ２と画像Ｄ１，Ｄ２の間に挟まれる全画像とを含む部分画像群ＣＰＧを抽出する。
【００５７】
なお、このように抽出された２つの画像Ｄ１，Ｄ２は、この部分画像群ＣＰＧの両端に配列される端画像であり、この部分画像群ＣＰＧの時系列の先頭または最後尾にそれぞれ配列される画像である。すなわち、この部分画像群ＣＰＧに含まれる各画像は、先頭の画像Ｄ１から最後尾の画像Ｄ２まで時系列に沿って連続する画像である。
【００５８】
画像ファイル生成部１６ｂは、画像抽出部１６ｅによって抽出された部分画像群ＣＰＧに含まれる各画像を時系列に沿って配列するとともに画像に圧縮処理を行い、先頭の画像Ｄ１から最後尾の画像Ｄ２までの各画像の連続再生によって動画像を表示できる切抜き動画像ＭＢを生成する。画像ファイル生成部１６ｂは、かかる切り抜き動画像ＭＢを汎用の動画像データ形式に変換し、ファイル化した切り抜き動画像ファイルを生成する。その後、制御部１６は、得られた切り抜き動画像ファイルを記憶部１５の管理フォルダ１５ｂに保存する。
【００５９】
このように、画像ファイル生成部１６ｂは、上述した静止画像、ノーマル動画像、結合動画像、および切り抜き動画像の中から指定された所望の出力モードの画像ファイルを生成できる。この場合、画像ファイル生成部１６ｂは、所望の検査ファイルに含まれる画像群の中から注目箇所の画像、例えば被検体の出血部位または疾患部位等の画像を表示する静止画像、ノーマル動画像、結合動画像、および切り抜き動画像を容易に生成できる。また、画像ファイル生成部１６ｂは、例えば被検体の出血部位または疾患部位等の画像を表示するノーマル動画像を複数生成した場合、これら複数のノーマル動画像を１つの結合動画像にまとめることができる。したがって、画像ファイル生成部１６ｂは、被検体の画像群のうちの注目箇所の画像を表示する動画像ファイル（ノーマル動画像ファイル、結合動画像ファイル、切り抜き動画像ファイル）のデータ容量を可能な限り低減し、例えば外部のコンピュータへの出力および動画像再生処理に好適なものを実現できる。
【００６０】
かかる画像ファイル生成部１６ｂによって生成された画像ファイル（静止画像ファイル、ノーマル動画像ファイル、結合動画像ファイル、および切り抜き動画像ファイル）は、上述したように、汎用のデータ形式によって出力可能なものである。このため、かかる画像ファイルは、例えば外部のコンピュータに出力された場合、この外部のコンピュータの汎用の画像表示アプリケーションによって容易に静止画像または動画像に再生できる。
【００６１】
つぎに、画像ファイル生成部１６ｂによって生成された各種画像ファイルを外部に出力するための動作について説明する。上述した画像ファイル生成部１６ｂによって生成された画像ファイルを外部に出力する場合、ユーザは、まず、図４に例示した画像出力アイコン９１にカーソルＫを合わせてクリックする入力操作を行い、かかる画像ファイルの出力操作等を行うための所定のウィンドウを表示させる。図８は、画像ファイルの出力操作等を行うために表示部１２に表示されるウィンドウの一具体例を示す模式図である。図８に示すように、このウィンドウＷ４には、画像ファイル生成部１６ｂによって生成された画像ファイル（すなわち静止画像ファイル、ノーマル動画像ファイル、結合動画像ファイル、切り抜き動画像ファイル）を外部に出力するために必要な情報および出力操作を行うためのアイコン等が形成される。
【００６２】
具体的には、ウィンドウＷ４には、記憶部１５の管理フォルダ１５ｂに保存された静止画像ファイルを一覧表示する静止画像ファイル表示領域１０１と、記憶部１５の管理フォルダ１５ｂに保存された動画像ファイルを一覧表示する動画像ファイル表示領域１０２と、静止画像ファイル表示領域１０１または動画像ファイル表示領域１０２の中から外部に出力するファイルに選択されたものを一覧表示する出力ファイル表示領域１０３とが形成される。
【００６３】
また、ウィンドウＷ４には、静止画像ファイル表示領域１０１または動画像ファイル表示領域１０２の中から選択指定された所望の画像ファイルを出力ファイル表示領域１０３に表示させるためのファイル指定アイコン１０４と、出力ファイル表示領域１０３に表示された画像ファイルを元の位置（静止画像ファイル表示領域１０１または動画像ファイル表示領域１０２）に戻すためのＲｅｍｏｖｅアイコン１０５とが形成される。さらに、ウィンドウＷ４には、出力ファイル表示領域１０３に表示された出力対象の画像ファイルの出力先を選択するための出力先選択領域１２０と、出力先選択領域１２０に選択された出力先に画像ファイルを出力するファイル出力処理を実行するためのＯＫアイコン１３０とが形成される。
【００６４】
その他、ウィンドウＷ４には、静止画像ファイル表示領域１０１または動画像ファイル表示領域１０２の中から選択された画像ファイルに含まれる静止画像または動画像を再生するプレビュー領域ＰＶと、プレビュー領域ＰＶに再生する動画像の表示操作を行うための表示操作アイコン群１１０とが形成され、上述したカーソルＫが表示される。
【００６５】
ここで、静止画像ファイル表示領域１０１には、例えば静止画像ファイルＰＦ１，ＰＦ２が表示され、動画像ファイル表示領域１０２には、例えば動画像ファイルＭＦ１，ＭＦ２が表示される。この場合、静止画像ファイルＰＦ１，ＰＦ２は、上述した画像ファイル生成部１６ｂによって生成され、記憶部１５の管理フォルダ１５ｂに保存された静止画像ファイルである。また、動画像ファイルＭＦ１，ＭＦ２は、上述した画像ファイル生成部１６ｂによって生成されたノーマル動画像ファイル、結合動画像ファイル、および切り抜き動画像ファイルのいずれかであって、記憶部１５の管理フォルダ１５ｂに保存された動画像ファイルである。
【００６６】
ユーザは、入力部１１を用い、かかる静止画像ファイル表示領域１０１または動画像ファイル表示領域１０２の中から所望の静止画像ファイルまたは動画像ファイルを選択する操作を行い、その後、ファイル指定アイコン１０４にカーソルＫを合わせてクリックする入力操作を行う。この場合、出力処理部１６ｆは、このような入力部１１の入力操作によって選択指定された静止画像ファイルまたは動画像ファイルを管理フォルダ１５ｂから入出力フォルダ１５ｃに移す。この入出力フォルダ１５ｃに移された静止画像ファイルまたは動画像ファイルは、出力ファイル表示領域１０３に表示される。
【００６７】
例えば、動画像ファイル表示領域１０２内の動画像ファイルＭＦ２が選択指定された場合、出力処理部１６ｆは、この動画像ファイルＭＦ２を管理フォルダ１５ｂから入出力フォルダ１５ｃに移す。この入出力フォルダ１５ｃに移された動画像ファイルＭＦ２は、出力対象の画像ファイルとして出力ファイル表示領域１０３に表示される。出力処理部１６ｆは、このように出力ファイル表示領域１０３に表示された動画像ファイルＭＦ２を外部への出力対象の画像ファイルに設定する。
【００６８】
また、出力処理部１６ｆは、このような所望の画像ファイルを選択指定する入力操作が繰り返し行われた場合、その都度、選択指定された静止画像ファイルまたは動画像ファイルを管理フォルダ１５ｂから入出力フォルダ１５ｃに移し、この入出力フォルダ１５ｃ内の静止画像ファイルおよび動画像ファイルを出力ファイル表示領域１０３に表示させ、かかる静止画像ファイルおよび動画像ファイルを出力対象の画像ファイルに設定する。
【００６９】
なお、ユーザによる入力部１１の入力操作によってＲｅｍｏｖｅアイコン１０５が選択された場合、出力処理部１６ｆは、出力ファイル表示領域１０３に表示された全ての画像ファイルを出力対象の画像ファイルから解除し、元の静止画像ファイル表示領域１０１または動画像ファイル表示領域１０２に戻す。この場合、出力処理部１６ｆは、入出力フォルダ１５ｃ内の全画像ファイルを元の管理フォルダ１５ｂに戻す。
【００７０】
その後、ユーザが、入力部１１を用い、出力先選択領域１２０に出力対象の画像ファイルの出力先を選択する入力操作を行い、且つＯＫアイコン１３０を選択する入力操作を行った場合、出力処理部１６ｆは、出力ファイル表示領域１０３に表示された全ての静止画像ファイルおよび動画像ファイル、すなわち入出力フォルダ１５ｃに移した出力対象の全画像ファイルをそれぞれコピーした各コピーファイルを作成し、得られた全コピーファイルを出力先選択領域１２０に選択された出力先に出力する。なお、かかる出力先選択領域１２０に選択される出力先として、上述した情報入出力Ｉ／Ｆ１４に挿着されたＦＤ、ＣＤ、およびＤＶＤのいずれかのドライブ、情報入出力Ｉ／Ｆ１４を介して接続されるプリンタ等の周辺機器等が例示される。
【００７１】
このような出力処理部１６ｆによって情報入出力Ｉ／Ｆ１４に出力されたコピーファイルは、例えば情報入出力Ｉ／Ｆ１４に挿着されたＦＤ、ＣＤ、およびＤＶＤ等の携帯型記録媒体に保存され、かかる携帯型記録媒体を媒介にして外部のコンピュータに取り込まれる。このようにして、所望の静止画像ファイルまたは動画像ファイルは、例えば外部のコンピュータに出力される。具体的には、所望の静止画像ファイルまたは動画像ファイルのコピーファイルが携帯型記録媒体を媒介にして外部のコンピュータ等に出力され、このコピーファイルのコピー元であるオリジナルのデータセットは、記憶部１５の管理フォルダ１５ｂ内で保持管理される。なお、このオリジナルのデータセットは、上述した静止画像ファイルまたは動画像ファイル等の被検体内の画像データおよび被検体内の画像データに関する診断結果等の診断情報の少なくとも一つを含むものである。この場合、ロック処理部１６ｇは、外部に出力したコピーファイルが画像表示装置４に戻されるまでの間、かかる管理フォルダ１５ｂに保存されたデータセットの変更を禁止するデータロック処理を行う。
【００７２】
なお、ここでいうデータセットの変更とは、オリジナルのデータセット（以下、単にデータセットという場合がある）に含まれる画像データに関する診断情報を作成し、作成した診断情報をこの画像データに付加して行われるものであり、または、オリジナルのデータセットに含まれる画像データまたは診断情報等の各種情報を更新（例えば、かかる各種情報を変更または変更後に保存して達成される処理）して行なわれるものである。いずれの場合であっても、かかるデータセット内のデータの編集処理または更新処理に起因するデータセットの変更によって、このオリジナルのデータセットは別のものに変更される。かかるロック処理部１６ｇによるデータセットのデータロック処理については、後述する。
【００７３】
つぎに、被検体に関する診断結果等を記載したレポートを作成するレポート作成部１６ｃの動作と、このレポートに掲載する画像の所望のグループに分割するグループ処理部１６ｄの動作とについて説明する。ユーザは、主画像表示領域５０に順次表示された被検体１の画像を観察し、被検体１を診断する。そして、ユーザは、この被検体１の診断結果等を記載したレポート（カルテ）を作成するために、入力部１１を用い、図３に例示したレポートアイコン９２にカーソルＫを合わせてクリックする入力操作を行い、このレポートを作成するための所定のウィンドウを表示させる。図９は、被検体１に関するレポートを作成するために表示部１２に表示されるウィンドウの一具体例を示す模式図である。図９に示すように、このウィンドウＷ５には、被検体１に関するレポートを作成するために必要な情報およびアイコン等が形成される。
【００７４】
具体的には、ウィンドウＷ５には、上述したウィンドウＷ１の副画像表示領域８０に表示したサムネイル画像を表示するサムネイル表示領域２０１と、サムネイル表示領域２０１に表示されたサムネイル画像のスクロール操作を行うためのスクロールバー２０２と、サムネイル表示領域２０１に表示されたサムネイル画像を所望のグループに分割した結果を表示するグループ化画像表示領域２０３と、グループ化画像表示領域２０３に表示されたグループ化画像（すなわちグループ化されたサムネイル画像）のスクロール操作を行うためのスクロールバー２０４とが形成される。
【００７５】
また、ウィンドウＷ５には、サムネイル表示領域２０１またはグループ化画像表示領域２０３の中から選択された所望のサムネイル画像に対応する画像（すなわち主画像表示領域５０に表示する場合と同様のもの）を表示する通常画像表示領域２１０と、通常画像表示領域２１０に表示された画像に円または楕円のマーカを付するためのマーカアイコン２１１と、通常画像表示領域２１０に表示された画像に矢印のマーカを付するためのマーカアイコン２１２と、通常画像表示領域２１０に表示された「×」マーカを付するためのマーカアイコン２１３とが形成される。さらに、ウィンドウＷ５には、通常画像表示領域２１０に表示された画像に付するコメントを作成するためのコメント作成領域２１４と、所望の単語を検索した結果を表示する辞書領域２１５と、辞書領域２１５に所望の単語を検索するための文字（例えば頭文字）を入力するエントリ領域２１６とが形成される。
【００７６】
その他、ウィンドウＷ５には、ウィンドウＷ５上で行われた各種処理をキャンセルするためのＵｎｄｏアイコン２２１と、サムネイル表示領域２０１に表示されたサムネイル画像を所望のグループに分割するためのグループ化アイコン２２２と、グループ化画像表示領域２０３に表示されたグループ化画像の配列等を変更するためのグループ配列アイコン２２３と、被検体１に関するレポートの作成処理を実行するためのレポート作成アイコン２２４と、ウィンドウＷ５を閉じるためのＣｌｏｓｅアイコン２２５とが形成され、上述したカーソルＫが表示される。
【００７７】
ここで、上述したウィンドウＷ１のレポートアイコン９２を選択することによってウィンドウＷ５を開いた場合、サムネイル表示領域２０１には、このウィンドウＷ１の主画像表示領域５０に表示された画像の中から選択され、副画像表示領域８０に表示されたサムネイル画像が表示される。かかるサムネイル表示領域２０１内のサムネイル画像には、図９に示すように、撮像開始からの経過時間がそれぞれ付されている。ユーザは、かかるサムネイル表示領域２０１に表示されたサムネイル画像を所望のグループに分割するために、サムネイル表示領域２０１内のサムネイル画像を選択し、グループ化アイコン２２２にカーソルＫを合わせてクリックする入力部１１の入力操作を行う。この場合、選択されたサムネイル画像がグループ化され、グループ化画像表示領域２０３に表示される。
【００７８】
その後、グループ処理部１６ｄは、このようなグループ化画像の設定結果を記憶部１５に保存し、サムネイル画像のグループ設定処理を達成する。このようなグループ処理部１６ｄによって設定されたグループ化画像は、１以上のサムネイル画像を含んでいる。
【００７９】
一方、上述したウィンドウＷ５のグループ配列アイコン２２３を選択する入力操作によってウィンドウＷ６が開いた場合、このウィンドウＷ６のグループ化領域２５０には、上述したグループ化画像表示領域２０３内のグループ化画像が表示される。ユーザは、入力部１１を用い、かかるグループ化領域２５０に表示されたグループ化画像の配列等を変更する配列変更操作を行う。グループ処理部１６ｄは、このようなグループ化画像の配列変更操作に対応して、グループ化領域２５０内のグループ化画像の配列等を変更する。この場合、グループ処理部１６ｄは、例えば図１０に例示したグループ化画像Ｇｒ１，Ｇｒ２，Ｇｒ３，Ｇｒ４の順序に並ぶ配列をグループ化画像Ｇｒ１，Ｇｒ４，Ｇｒ２，Ｇｒ３の順序に並ぶ配列に変更できる。また、グループ処理部１６ｄは、グループ化画像内のサムネイル画像の順序を変更指示する配列変更操作が行われた場合、この配列変更操作に対応してグループ化画像内のサムネイル画像の順序を入れ替える。この場合、グループ処理部１６ｄは、例えば図１０に例示したグループ化画像Ｇｒ１に含まれる３つのサムネイル画像を並び替える。このようなグループ処理部１６ｄによって再配列されたグループ化画像は、上述したグループ化画像表示領域２０３に表示される。
【００８０】
また、このようなグループ処理部１６ｄによるグループ化画像またはグループ化画像内のサムネイル画像の再配列処理の結果は、かかるグループ化画像を被検体のレポートに掲載する際に反映される。すなわち、レポート作成部１６ｃは、被検体のレポートを作成する場合、かかるグループ処理部１６ｄによる再配列処理によって再配列されたグループ化画像の配列順に沿って、被検体のレポート内にグループ化画像を掲載する。
【００８１】
図１１は、グループ処理部１６ｄによってグループ化画像が設定された状態のウィンドウＷ５を例示する模式図である。図１１に示すように、グループ化画像表示領域２０４には、グループ処理部１６ｄによって設定されたグループ化画像（例えばグループ化画像Ｇｒ１〜Ｇｒ３）が表示される。この場合、レポート作成部１６ｃは、かかるグループ化画像に含まれるサムネイル画像またはサムネイル表示領域２０１内のサムネイル画像の表示内容に対して「○」「→」および「×」等の所望のマーカを付するよう機能する。
【００８２】
具体的には、レポート作成部１６ｃは、通常画像表示領域２１０に表示された画像、すなわちグループ化画像表示領域２０３内のグループ化画像に含まれるサムネイル画像またはサムネイル表示領域２０１内のサムネイル画像に対応する同一表示内容の画像に対し、「○」「→」および「×」等の所望のマーカを付する。さらに具体的には、レポート作成部１６ｃは、かかる通常画像表示領域２１０に表示された画像内の所望の箇所に、マーカアイコン２１１〜２１３に対応する「○」、「→」、「×」等の所望のマーカを付する。レポート作成部１６ｃは、このような所望のマーカを画像に付した画像編集結果を記憶部１５に保存し、保存した画像編集結果（すなわち所望のマーカを付した画像）を被検体のレポート作成時に用いる。
【００８３】
また、レポート作成部１６ｃは、上述したグループ化画像表示領域２０３内のグループ化画像毎またはサムネイル表示領域２０１内の各サムネイル画像毎に所望のコメントを付するよう機能する。具体的には、レポート作成部１６ｃは、グループ化画像表示領域２０３の中から選択された各グループ化画像またはサムネイル表示領域２０１の中から選択された各サムネイル画像に対し、コメント作成領域２１４に入力されたコメントを対応付け、かかるグループ化画像毎またはサムネイル画像毎に対応付けたコメントを記憶部１５に保存する。レポート作成部１６ｃは、このように保存したコメントを被検体のレポート作成時に用いる。
【００８４】
このようなレポート作成部１６ｃは、コメント作成領域２１４に所望のコメントを入力するコメント入力操作を容易にする辞書機能を有する。具体的には、レポート作成部１６ｃは、記憶部１５に予め保存された辞書データを用い、エントリ領域に入力された文字を先頭に含む１以上の単語を検索する。かかるレポート作成部１６ｃによって検索された１以上の単語は、辞書領域２１５に一覧表示される。レポート作成部１６ｃは、かかる辞書領域２１５に表示された検索結果の中から所望の単語が選択指定された場合、この選択指定された単語をコメント作成領域２１４に表示させる。このようなレポート作成部１６ｃの辞書機能によって、ユーザは、入力部１１を用い、コメント作成領域２１４に所望のコメントを入力するコメント入力操作を容易に行うことができる。
【００８５】
なお、レポート作成部１６ｃは、ウィンドウＷ５内のＵｎｄｏアイコン２２１が選択された場合、マーカアイコン２１１〜２１３に対応して所望のマーカを付した画像をマーカが付されていない元の状態に戻す。また、グループ処理部１６ｄは、ウィンドウＷ５内のＵｎｄｏアイコン２２１が選択された場合、上述したグループ化画像をグループ化する前の元の状態に戻す。
【００８６】
ここで、レポート作成部１６ｃは、上述したグループ化画像またはサムネイル表示領域２０１内の各サムネイル画像と同一表示内容の各画像、所望のマーカが付された画像、およびこのような各画像に対応付けたコメントを必要に応じて用い、被検体１に関するレポートを作成する。図１２は、レポート作成部１６ｃによって作成されるレポートの一具体例を例示する模式図である。図１２に示すように、この被検体１に関するレポートは、被検体１の患者名、性別、年齢、生年月日、および患者ＩＤ等の患者情報３０１と、被検体１に対するカプセル型内視鏡検査の検査実施日および検査ＩＤ等の検査情報３０２と、被検体１の診断結果、診断した担当医師名、被検体１の診断結果に関する所見、要約等の診断情報３０３と、被検体１の画像およびコメント等の検査結果情報３０４とによって形成される。また、この被検体１に関するレポートには、診断した担当医師の署名欄が形成される。
【００８７】
具体的には、レポート作成部１６ｃは、記憶部１５の検査フォルダ１５ａに保存された被検体１の検査ファイルに含まれる患者情報および検査情報をもとに、この被検体１に関するレポートに患者情報３０１および検査情報３０２を記載する。なお、レポート作成部１６ｃは、入力部１１を用いた所定の入力操作によって患者情報３０１を伏せるよう指示された場合、患者情報３０１を空白にし、または患者情報３０１に代えて「＊」等のマーカを記載し、患者情報３０１を伏せたことを示す。
【００８８】
また、レポート作成部１６ｃは、入力部１１を用いた入力操作によって入力された被検体１の診断結果、診断した担当医師名、被検体１の診断結果に関する所見、要約等の情報を診断情報３０３の所定の欄に記載する。
【００８９】
さらに、レポート作成部１６ｃは、上述したグループ化画像またはサムネイル表示領域２０１から選択された各サムネイル画像と同一表示内容の画像、所望のマーカが付された画像、およびこのような各画像に対応付けたコメント等を検査結果情報３０４としてレポート内の所定の位置に掲載する。この場合、レポート作成部１６ｃは、グループ処理部１６ｄによってグループ化され、または再配列されたグループ化画像の配列順序に沿って、このグループ化画像内のサムネイル画像と同一表示内容の画像（またはサムネイル画像そのもの）をレポート内に掲載する。あるいは、レポート作成部１６ｃは、サムネイル表示領域２０１から選択されたサムネイル画像と同一表示内容の画像（またはサムネイル画像そのもの）を所定の配列順序でレポート内に掲載する。レポート作成部１６ｃは、このように掲載する画像が上述した所望のマーカを付したものである場合、この所望のマーカが付された状態で画像を掲載する。また、レポート作成部１６ｃは、このように掲載する各画像の近傍に、上述したコメント作成領域２１４に入力されたコメントを掲載する。かかるコメントは、上述したグループ化画像毎またはサムネイル画像毎に作成されたものであり、図１２に示すように、レポート作成部１６ｃによって対応付けられた画像の近傍に掲載される。その他、レポート作成部１６ｃは、かかるレポートに掲載する画像の撮像開始からの経過時間、画像の撮像部位を示す撮像部位マーカＰＬ１〜ＰＬ４を画像毎に掲載する。
【００９０】
このようにして、レポート作成部１６ｃは、患者情報３０１、検査情報３０２、診断情報３０３、および検査結果情報３０４等を掲載した被検体１のレポートを作成し、得られた被検体１のレポートを含むレポートファイルを記憶部１５の管理フォルダ１５ｂに保存する。かかるレポートファイルは、入力部１１による所定の入力操作によって、上述した画像ファイルとほぼ同様に、例えば情報入出力Ｉ／Ｆを介してプリンタ等に出力される。
【００９１】
また、かかるレポートファイルを外部のコンピュータ等に出力する場合、出力処理部１６ｆは、このレポートファイルを出力対象のファイルとして入出力フォルダ１５ｃに移すとともに、このレポートファイルのコピーファイルを生成し、上述した画像データの場合とほぼ同様に、このコピーファイルを情報入出力Ｉ／Ｆ１４に出力される。かかる情報入出力Ｉ／Ｆ１４に出力されたコピーファイルは、この情報入出力Ｉ／Ｆ１４に挿着されたＦＤ、ＣＤ、およびＤＶＤ等の携帯型記録媒体に保存され、この携帯型記録媒体を媒介にして外部のコンピュータに取り込まれる。この場合、このコピーファイルの元であるオリジナルのデータセット、例えば被検体１の検査ファイル等は、記憶部１５の管理フォルダ１５ｂ内で保持管理される。ロック処理部１６ｇは、上述した画像ファイルの場合とほぼ同様に、このコピーファイルが画像表示装置４に戻されるまでの間、かかる管理フォルダ１５ｂに保存されたデータセットの変更を禁止するロック処理を行う。
【００９２】
つぎに、外部に出力したコピーファイルの元であるデータセットに対してデータロック処理を行うロック処理部１６ｇの動作について説明する。図１３は、ロック処理部１６ｇによるオリジナルのデータセットのデータロック処理を説明する模式図である。上述した所望の出力モードの画像ファイルまたはレポートファイルを外部に出力する場合、出力処理部１６ｆは、上述したように、この出力対象のデータセットの一部または全部（例えば、データセットに含まれる画像ファイルおよびレポートファイル等の各種データの少なくとも一つ）をコピーしたコピーファイル（１種類以上のコピーデータを含むコピーのデータセット）を生成し、得られたコピーファイルを情報入出力Ｉ／Ｆ１４に出力する。この場合、このコピーファイルＣＦは、図１３に示すように、例えば情報入出力Ｉ／Ｆ１４に挿着されたＦＤ、ＣＤ、またはＤＶＤ等の携帯型記録媒体４０１に保存され、この携帯型記録媒体４０１を媒介にして外部コンピュータ４００に取り込まれる。一方、出力処理部１６ｆは、このコピーファイルＣＦのコピー元であるオリジナルのデータセットＯＲ（例えば上述した画像ファイルまたはレポートファイル等を含むもの）を記憶部１５の管理フォルダ１５ｂに保存する。
【００９３】
ロック処理部１６ｇは、このように外部に出力されたコピーファイルＣＦのファイル名を出力処理部１６ｆから取得し、得られたファイル名と同じファイル名によって特定されるデータセットＯＲに対してデータロック処理を行うよう機能する。具体的には、ロック処理部１６ｇは、図１３に示すように、例えば携帯型記録媒体４０１を媒介にしてコピーファイルＣＦが外部に出力された場合、外部に出力したコピーファイルＣＦが画像表示装置４に戻されるまでの間、このコピーファイルＣＦのデータセットＯＲに対してデータロック処理を行い、このデータセットＯＲをデータロック状態にする。この場合、ロック処理部１６ｇは、ユーザが入力部１１を用いてデータセットＯＲに含まれる一部または全部のデータ（例えば被検体１の静止画像、動画像、診断情報等）を書き換える又は新規の診断情報等を追加する編集操作を行った場合であっても、また、このデータセットＯＲに含まれる一部または全部のデータを変更し保存する更新操作を行った場合であっても、このデータセットＯＲの変更を禁止し、このデータが例えば担当の医師または看護師以外のユーザによって編集または更新されないよう保護する。
【００９４】
一方、かかるロック処理部１６ｇによってデータセットＯＲ内のデータが保護されている間、上述したコピーファイルＣＦ内のデータは、外部コンピュータ４００によって所望のデータに編集され、更新される。かかる外部コンピュータ４００によって更新されたコピーファイルＣＦ（すなわち、元のコピーファイルＣＦに含まれるコピーデータよりなる新データセット）は、図１３に示すように、携帯型記録媒体４０１を媒介にして画像表示装置４に取り込まれる。具体的には、制御部１６は、情報入出力Ｉ／Ｆ１４に挿着された携帯型記録媒体４０１内のコピーファイルＣＦ（すなわち外部コンピュータ４００によって更新されたコピーファイルＣＦ）を読み取る。この場合、入力処理部１６ｈは、このコピーファイルＣＦを記憶部１５の入出力フォルダ１５ｃに保存するとともに、このコピーファイルＣＦのファイル名を取得する。
【００９５】
なお、ここでいうコピーデータよりなる新データセットとは、元のコピーファイルに含まれるコピーデータを加工、変更し、新たなデータを付加して形成される新規のデータセットである。
【００９６】
ロック処理部１６ｇは、かかる入力処理部１６ｈによって取得されたコピーファイル（例えば上述した新データセット）のファイル名をもとに、このファイル名によって特定されるオリジナルのデータセットが管理フォルダ１５ｂ内に保存されているか否かを確認する。具体的には、ロック処理部１６ｇは、このコピーファイルＣＦのファイル名によって特定されるデータセットＯＲを管理フォルダ１５ｂ内から取得した場合、このデータセットＯＲに対するデータロック状態を解除し、かかるデータセットＯＲの一部または全部のデータに対する編集処理および更新処理を許可する。これと同時に、入力処理部１６ｈは、このコピーファイルＣＦ内のデータ（例えば外部コンピュータ４００によって作成された新データセットに含まれるデータ）の一部または全部をデータセットＯＲに上書きし、外部コンピュータ４００によって更新されたデータを少なくとも含むデータセットＯＲを取得する。入力処理部１６ｈは、このように取得したデータセットＯＲを管理フォルダ１５ｂに保存するとともに、データセットＯＲに上書きされたデータ、すなわち更新処理が行われた後のコピーファイルＣＦ（新データセット）の一部または全部を削除する。制御部１６は、かかる管理フォルダ１５ｂ内のデータセットＯＲを他の画像ファイルまたはレポートファイル等と同様に編集処理および更新処理を行えるファイルとして保持管理する。
【００９７】
なお、上述したコピーファイルは、情報入出力Ｉ／Ｆ１４および外部コンピュータ４００の両者に対して着脱可能に装着できる携帯型記録媒体４０１を媒介にして、画像表示装置４と外部コンピュータ４００との間で入出力していたが、これに限らず、上述したコピーファイルは、電話回線またはインターネット等の通信回線を介して画像表示装置４と外部コンピュータ４００との間で入出力されてもよい。この場合、情報入出力Ｉ／Ｆ１４は、かかる通信回線に接続可能な通信Ｉ／Ｆを有する構造にすればよい。
【００９８】
また、ロック処理部１６ｇは、外部に出力したコピーファイルのファイル名によって特定されるオリジナルのデータセット（例えばコピーファイルと同じファイル名を有するデータセット）に対してデータロック処理を行っていたが、これに限らず、かかるコピーファイルおよびオリジナルのデータセットの両者を特定できるフラグ等が付されたオリジナルのデータセットに対してデータロック処理を行ってもよい。この場合、出力処理部１６ｆは、外部に出力するコピーファイルＣＦとデータセットＯＲとに両者を特定できるフラグを付し、このフラグを付したコピーファイルＣＦを外部に出力し、このフラグを付したデータセットＯＲを管理フォルダ１５ｂに保存する。ロック処理部１６ｇは、このフラグが付されたデータセットＯＲに対してデータロック処理を行い、このフラグが付されたコピーファイルＣＦ（すなわち新データセット）を取得した場合、このデータセットＯＲのデータロック状態を解除する。
【００９９】
さらに、この発明の実施の形態では、編集されたコピーデータをこの発明にかかる画像処理装置に入力していたが、これに限らず、かかる画像表示装置に入力されるデータは、コピーデータに対応して新規に作成されたデータであってもよい。
【０１００】
以上、説明したように、この発明に実施の形態では、被検体の画像ファイルまたはレポートファイル等に含まれるオリジナルデータを保有し、このオリジナルデータをコピーしたコピーデータを外部に出力するようにし、かかるコピーデータが外部に出力されている間、このコピーデータのコピー元であるオリジナルデータの編集処理および更新処理を禁止するように構成した。このため、外部に出力されたコピーデータを編集処理し、更新処理する間、このコピーデータのコピー元であるオリジナルデータが書き換えられないよう保護できるとともに、このコピーデータを主要なデータとして取り扱うことができ、被検体の検査および診断等に関する主要なデータを容易に管理できる画像表示装置を実現することができる。
【０１０１】
また、このようなコピーデータを外部から入力し、入力したコピーデータのコピー元が保有のオリジナルデータである旨を確認した場合に、このオリジナルデータのデータロック処理を解除するようにし、かかるデータロック処理が解除されたオリジナルデータにこのコピーデータを上書きしてオリジナルデータを更新処理するとともに、この入力したコピーデータを削除するように構成した。このため、外部に出力したコピーデータおよび保有のオリジナルデータのいずれを主要なデータとして取り扱うかを明確にすることができ、データ管理に混乱を招くことなく、保有のオリジナルデータを容易に更新処理することができる。
【図面の簡単な説明】
【０１０２】
【図１】この発明の実施の形態である画像表示装置を有する被検体内情報取得システムの一構成例を模式的に例示する模式図である。
【図２】この発明の実施の形態である画像表示装置の一構成例を模式的に示すブロック図である。
【図３】表示部の表示画面の一具体例を模式的に示す模式図である。
【図４】画像ファイルの出力モードを設定するためのウィンドウが表示された状態を例示する模式図である。
【図５】ノーマル動画像ファイルを生成する動作を説明するための模式図である。
【図６】結合動画像ファイルを生成する動作を説明するための模式図である。
【図７】切り抜き動画像ファイルを生成する動作を説明するための模式図である。
【図８】画像ファイルの出力操作等を行うために表示部に表示されるウィンドウの一具体例を示す模式図である。
【図９】被検体に関するレポートを作成するために表示部に表示されるウィンドウの一具体例を示す模式図である。
【図１０】サムネイル表示領域に表示されたサムネイル画像を所望のグループに分割するためのウィンドウの一具体例を示す模式図である。
【図１１】グループ処理部によってグループ化画像が設定された状態のウィンドウを例示する模式図である。
【図１２】レポート作成部によって作成されるレポートの一具体例を例示する模式図である。
【図１３】ロック処理部１６ｇによるオリジナルのデータセットのデータロック処理を説明する模式図である。
【符号の説明】
【０１０３】
１  被検体
２  カプセル型内視鏡
３  受信装置
３ａ〜３ｈ  受信アンテナ
４  画像表示装置
５  携帯型記録媒体
１１  入力部
１２  表示部
１３  カードＩ／Ｆ
１４  情報入出力Ｉ／Ｆ
１５  記憶部
１５ａ  検査フォルダ
１５ｂ  管理フォルダ
１５ｃ  入出力フォルダ
１６  制御部
１６ａ  表示制御部
１６ｂ  画像ファイル生成部
１６ｃ  レポート作成部
１６ｄ  グループ処理部
１６ｅ  画像抽出部
１６ｆ  出力処理部
１６ｇ  ロック処理部
１６ｈ  入力処理部
５０  主画像表示領域
６０  ファイル表示領域
７０  表示操作アイコン群
８０  副画像表示領域
８１  スクロールバー
９１  画像出力アイコン
９２  レポートアイコン
９３〜９５  表示枚数設定アイコン
９６  Ｅｘｉｔアイコン
１０１  静止画像ファイル表示領域
１０２  動画像ファイル表示領域
１０３  出力ファイル表示領域
１０４  ファイル指定アイコン
１０５  Ｒｅｍｏｖｅアイコン
１１０  表示操作アイコン群
１２０  出力先選択領域
１３０  ＯＫアイコン
２０１  サムネイル表示領域
２０２  スクロールバー
２０３  グループ化画像表示領域
２０４  スクロールバー
２１０  通常画像表示領域
２１１〜２１３  マーカアイコン
２１４  コメント作成領域
２１５  辞書領域
２１６  エントリ領域
２２１  Ｕｎｄｏアイコン
２２２  グループ化アイコン
２２３  グループ配列アイコン
２２４  レポート作成アイコン
２２５  Ｃｌｏｓｅアイコン
２５０  グループ化領域
２５１  スクロールバー
２６１  ＯＫアイコン
２６２  キャンセルアイコン
３０１  患者情報
３０２  検査情報
３０３  診断情報
３０４  検査結果情報
４００  外部コンピュータ
４０１  携帯型記録媒体
Ａ１〜Ａ５，Ｄ１，Ｄ２，Ｂ１〜Ｂ５，Ｃ１〜Ｃ５，Ｅ１〜Ｅ５  画像
ＣＰＧ  部分画像群
ＣＦ  コピーファイル
Ｆ１〜Ｆ４  検査ファイル
Ｇｒ１〜Ｇｒ４  グループ化画像
Ｋ  カーソル
Ｍ１，Ｍ２  ノーマル動画像
ＭＡ  結合動画像
ＭＢ  切り抜き動画像
ＯＲ  データセット
Ｐ１  画像
ＰＧ  画像群
ＰＬ１〜ＰＬ４  撮像部位マーカ
ＰＶ  プレビュー領域
ＲＭ１〜ＲＭ５  レポートマーカ
ＳＰ１〜ＳＰ５  サムネイル画像
Ｓ  スライダ
ＴＳ  時間スケール
Ｗ１〜Ｗ６  ウィンドウ
【図１】
0004441464.tif 000002
【図２】
0004441464.tif 000003
【図３】
0004441464.tif 000004
【図４】
0004441464.tif 000005
【図５】
0004441464.tif 000006
【図６】
0004441464.tif 000007
【図７】
0004441464.tif 000008
【図８】
0004441464.tif 000009
【図９】
0004441464.tif 000010
【図１０】
0004441464.tif 000011
【図１１】
0004441464.tif 000012
【図１２】
0004441464.tif 000013
【図１３】
0004441464.tif 000014